(57)【要約】      （修正有）【課題】聴視者の違和感を低減させたテレビジョン放送受信装置を提供する。【解決手段】デジタル放送信号を受信し、デジタルストリーム、受信感度情報、受信エラーレート情報を出力するデジタル放送受信回路と、アナログ放送信号を受信し、映像信号をデジタル変換した映像データ、アナログ音声信号をデジタル変換した音声データ、受信感度情報とを出力するアナログ放送受信回路と、デコード部制御信号Ｃ１に基づいて、デジタルストリーム、または、映像データおよび音声データのいずれかを選択してデコードし、映像出力信号および音声出力信号を出力する映像・音声デコード部１０と、アナログ放送受信感度情報と、デジタル放送受信感度情報と、デジタル放送受信エラーレート情報とに基づいて、デコード部制御信号を出力する制御部６１と、映像出力信号の表示と音声出力信号の音声出力とを行う表示装置１１とを備える。【選択図】図１
2008211484.tif 000002
【特許請求の範囲】
【請求項１】
デジタル放送信号を受信して、デジタルストリームと、デジタル放送受信感度情報と、デジタル放送受信エラーレート情報とを出力するデジタル放送受信回路と、
アナログ放送信号を受信して、アナログ映像信号をデジタル変換した映像データと、アナログ音声信号をデジタル変換した音声データと、アナログ放送受信感度情報とを出力するアナログ放送受信回路と、
デコード部制御信号に基づいて、前記デジタルストリーム、または、前記映像データおよび音声データのいずれかを選択してデコードし、映像出力信号および音声出力信号を出力する映像・音声デコード部と、
前記アナログ放送受信感度情報と、前記デジタル放送受信感度情報と、前記デジタル放送受信エラーレート情報とに基づいて、前記デコード部制御信号を出力する制御部と、
前記映像出力信号の表示と前記音声出力信号の音声出力とを行う表示装置とを備えることを特徴とするテレビジョン放送受信装置。
【請求項２】
前記映像・音声デコード部は、前記デジタル放送信号に基づく前記映像出力信号および前記音声出力信号と、前記アナログ放送信号に基づく前記映像出力信号および前記音声出力信号とを切り替える際、切り替え前の放送信号に基づく前記映像出力信号および前記音声出力信号をフェードアウトして出力する請求項１に記載のテレビジョン放送受信装置。
【請求項３】
前記映像・音声デコード部は、前記デジタル放送信号に基づく前記映像出力信号および前記音声出力信号と、前記アナログ放送信号に基づく前記映像出力信号および前記音声出力信号とを切り替える際、切り替え後の放送信号に基づく前記映像出力信号および前記音出力信号をフェードインして出力する請求項１に記載のテレビジョン放送受信装置。
【請求項４】
前記音声データの変化を検出してアナログ音声情報を出力するアナログ音声変化検出部と、
前記映像データと前記音声データとを一定時間格納する映像・音声データ格納部と、
現在時刻情報を出力するタイマと、
前記映像・音声デコード部から出力されるデジタル音声データの変化を検出し、デジタル音声情報を出力するデジタル音声変化検出部とをさらに備え、
前記制御部が、前記アナログ音声情報と、前記現在時刻情報と、前記デジタル音声情報とに基づいて、前記アナログ放送信号に基づく前記映像出力信号および前記音声出力信号と、前記デジタル放送信号に基づく前記映像出力信号および前記音声出力信号とを切り替える際、その時間差を吸収する時間差吸収処理を行う請求項１に記載のテレビジョン放送受信装置。
【請求項５】
前記時間差吸収処理が、前記時間差が無くなるまで前記映像・音声データ格納部からの前記映像データおよび前記音声データを所定の割合で追加するものであり、前記時間差吸収処理の後、前記アナログ放送信号に基づく前記映像出力信号および前記音声出力信号から、前記デジタル放送信号に基づく前記映像出力信号および前記音声出力信号への切り替えを行う請求項４に記載のテレビジョン放送受信装置。
【請求項６】
前記時間差吸収処理が、前記時間差が無くなるまで前記映像・音声データ格納部からの前記映像データおよび前記音声データを所定の割合で削除するものであり、前記デジタル放送信号に基づく前記映像出力信号および前記音声出力信号から、前記アナログ放送信号に基づく前記映像出力信号および前記音声出力信号への切り替えを行った後、前記時間差吸収処理を行う請求項４に記載のテレビジョン放送受信装置。
【請求項７】
前記デジタル放送信号に基づく前記映像出力信号および前記音声出力信号から、前記アナログ放送信号に基づく前記映像出力信号および前記音声出力信号へ切り替えた後、一定の時間は前記時間差吸収処理を行わずに、前記映像・音声データ格納部から前記映像データおよび前記音声データを前記時間差を保ったまま出力し、前記一定の時間内に、前記デジタル放送信号に基づく前記映像出力信号および前記音声出力信号への切り替え条件を満たさなかった場合に、前記時間差吸収処理を行う請求項６に記載のテレビジョン放送受信装置。
【請求項８】
前記アナログ放送信号に基づく前記映像出力信号および前記音声出力信号から、前記デジタル放送信号に基づく前記映像出力信号および前記音声出力信号への切り替えの際、一定の時間は前記時間差吸収処理を行わずに待機し、待機している間に前記アナログ音声変化検出部が音声形式の変化を検出した場合、もしくは、前記待機時間が経過した場合に、前記時間差吸収処理と前記デジタル放送信号に基づく前記映像出力信号および前記音声出力信号への切り替えを行う請求項５に記載のテレビジョン放送受信装置。
【請求項９】
前記アナログ放送信号に基づく前記映像出力信号および前記音声出力信号から、前記デジタル放送信号に基づく前記映像出力信号および前記音声出力信号への切り替えの際、前記デジタルストリームから取得した番組表情報に基づいて番組の変化を検出し、前記デジタル放送信号に基づく前記映像出力信号および前記音声出力信号への切り替えを前記番組の変化時に合わせて行う請求項５に記載のテレビジョン放送受信装置。
【請求項１０】
位置情報を出力するカーナビゲーションシステムをさらに備え、
前記位置情報に基づく現在位置が、デジタル放送の視聴エリア外である場合には、前記アナログ放送信号に基づく前記映像出力信号および前記音声出力信号に切り替える請求項６に記載のテレビジョン放送受信装置。
【請求項１１】
前記デジタル放送信号に基づく前記映像出力信号および前記音声出力信号と、前記アナログ放送信号に基づく前記映像出力信号および前記音声出力信号のいずれもが、視聴に耐えないものと判断される場合には、前記映像・音声デコード部は、前記制御部が出力したＯＳＤデータを表示装置に出力する請求項１から１０のいずれか１項に記載のテレビジョン放送受信装置。
【発明の詳細な説明】
【技術分野】
【０００１】
本発明は、デジタル方式とアナログ方式の複数方式のテレビジョン放送を受信可能なテレビジョン放送受信装置、特に、デジタル方式のテレビジョン放送の受信とアナログ方式のテレビジョン放送の受信とを、その受信状態に応じて切り替えるテレビジョン放送受信装置に関する。
【背景技術】
【０００２】
近年、デジタルテレビジョン放送（以下、「デジタル放送」という。）が各地で開始されているが、まだ全国をカバーするまでには至っていない。デジタル放送が受信できない地域ではアナログテレビジョン放送（以下、「アナログ放送」という。）を受信するため、デジタル放送とアナログ放送で同じ時間に同じ番組を放送するサイマル放送を行っている。
【０００３】
このため、例えばデジタル放送が視聴可能な地域と視聴不可能な地域を移動するような移動体に搭載されるテレビジョン放送受信装置においては、デジタル放送とアナログ放送とをともに受信できる装置が有効である。このようなデジタル放送とアナログ放送との両方の方式の放送が受信可能な装置では、いずれの放送により生成された映像信号や音声信号を出力信号として出力するのかを切り替える装置や手段が必要である。
【０００４】
このような、デジタル放送による信号と、アナログ放送による信号とを切り替える例として、デジタル放送の受信強度が低い場合に、映像や音声などの出力信号をアナログ放送から生成されたものに切り替えるテレビジョン放送受信装置が提案されている（特許文献１参照）。
【０００５】
また、デジタル放送を受信した後の信号処理として、変調／復調処理やエンコード／デコード処理等が必要となりこれに一定の時間がかかるため、デジタル放送による信号とアナログ放送による信号とを切り替えて出力する場合には、デジタル放送による映像や音声の出力信号が遅れて出力されることになる。このようなデジタル放送による出力の遅れに伴う聴視者の違和感を解消するために、アナログ放送からの信号を一定時間遅らせて出力するテレビジョン放送受信装置が提案されている（特許文献２参照）。
【特許文献１】特開２００２−１１２１３１号公報
【特許文献２】特開２００６−１７３９６４号公報
【発明の開示】
【発明が解決しようとする課題】
【０００６】
上記特許文献１に記載された従来のテレビジョン放送受信装置では、デジタル放送とアナログ放送とのどちらの放送信号に基づく信号を出力するかを、その受信信号の信号レベルに応じて切り替えているが、デジタル放送においては、信号レベルが十分な場合でもエラーレートが高い場合が存在しており、このような場合にデジタル放送に基づく出力信号を出力すると、聴視者の視聴に耐えられない画像信号や音声信号が出力されてしまうという状況となる。
【０００７】
一方、特許文献２に記載された従来のテレビジョン放送受信装置では、アナログ放送信号に基づく出力信号と、デジタル放送信号に基づく出力信号の遅れ時間を固定値としてこれを補正しているため、放送局の違い、視聴番組の違い、受信装置の違いなどによってこの遅れ時間に変化が生じた場合に、出力信号の切り替えに伴う違和感を完全に解消することができない。具体的には、同じ場面を繰り返し視聴してしまう場合や、一部の場面が欠落する場合等が生じてしまうこととなる。
【０００８】
さらに、特許文献２に記載のテレビジョン放送受信装置では、アナログ放送に依る出力信号を常に一定時間遅延させて出力しているが、聴視者にとってはなるべく遅延のない実時間で視聴できることが望ましい。
【０００９】
また、いずれのテレビジョン放送受信装置の場合でも、デジタル放送信号に基づく出力信号とアナログ放送信号に基づく出力信号との切り替えにおいては、高画質、高音質のデジタル放送とアナログ放送の映像品質、音声品質の違いから、急激な切り替えを行った場合に聴視者が違和感を覚える場合がある。特に、テレビジョン放送受信装置が移動体に搭載される場合に、デジタル放送の受信可能なエリアとアナログ放送のみしか受信できないエリアとの境界付近では、デジタル放送電波の受信状況が不安定となり易く、頻繁に切り替えが発生することとなって聴視者の不快感が強くなってしまう。
【００１０】
本発明は、上記従来のテレビジョン放送受信装置の問題点を解決し、デジタル放送信号に基づく出力信号とアナログ放送信号に基づく出力信号との切り替えを適切に行い、聴視者が覚える違和感を低減させたテレビジョン放送受信装置を提供することを目的とする。
【課題を解決するための手段】
【００１１】
上記課題を解決するために、本発明のテレビジョン放送受信装置は、デジタル放送信号を受信して、デジタルストリームと、デジタル放送受信感度情報と、デジタル放送受信エラーレート情報とを出力するデジタル放送受信回路と、アナログ放送信号を受信して、アナログ映像信号をデジタル変換した映像データと、アナログ音声信号をデジタル変換した音声データと、アナログ放送受信感度情報とを出力するアナログ放送受信回路と、デコード部制御信号に基づいて、前記デジタルストリーム、または、前記映像データおよび音声データのいずれかを選択してデコードし、映像出力信号および音声出力信号を出力する映像・音声デコード部と、前記アナログ放送受信感度情報と、前記デジタル放送受信感度情報と、前記デジタル放送受信エラーレート情報とに基づいて、前記デコード部制御信号を出力する制御部と、前記映像出力信号の表示と前記音声出力信号の音声出力とを行う表示装置とを備えることを特徴とする。
【発明の効果】
【００１２】
本発明は、上記の構成により、デジタル放送信号の受信状態だけではなく、デジタル放送信号におけるデジタル放送受信エラーレート情報に基づいて、デジタル放送視聴状態からアナログ放送視聴状態への切り替えを判断するため、デジタル放送の受信状況は良いがエラーレートが高く表示画像が乱れるような状態でデジタル放送信号に基づいた映像出力信号および音声出力が表示装置に出力されることを回避できる。このため、エラーレートが高く映像や音声がデコードできない状態に表示装置に何も表示されない状態を回避して、アナログ放送視聴状態に切り替えることによって継続的に番組を視聴することが可能となる。
【発明を実施するための最良の形態】
【００１３】
本発明にかかるテレビジョン放送受信装置において、前記映像・音声デコード部は、前記デジタル放送信号に基づく前記映像出力信号および前記音声出力信号と、前記アナログ放送信号に基づく前記映像出力信号および前記音声出力信号とを切り替える際、切り替え前の放送信号に基づく前記映像出力信号および前記音声出力信号をフェードアウトして出力することが好ましい。また、前記映像・音声デコード部は、前記デジタル放送信号に基づく前記映像出力信号および前記音声出力信号と、前記アナログ放送信号に基づく前記映像出力信号および前記音声出力信号とを切り替える際、切り替え後の放送信号に基づく前記映像出力信号および前記音出力信号をフェードインして出力することが好ましい。
【００１４】
このようにすることで、デジタル放送信号視聴状態からアナログ放送信号視聴状態への切り替え、またはアナログ放送視聴状態からデジタル放送視聴状態への切り替えにおいて、映像画質の急激な変化を抑制することが可能となり、ユーザーが番組を視聴する際の違和感を緩和することができる。
【００１５】
さらに、本発明のテレビジョン放送受信装置においては、前記音声データの変化を検出してアナログ音声情報を出力するアナログ音声変化検出部と、前記映像データと前記音声データとを一定時間格納する映像・音声データ格納部と、現在時刻情報を出力するタイマと、前記映像・音声デコード部から出力されるデジタル音声データの変化を検出し、デジタル音声情報を出力するデジタル音声変化検出部とをさらに備え、前記制御部が、前記アナログ音声情報と、前記現在時刻情報と、前記デジタル音声情報とに基づいて、前記アナログ放送信号に基づく前記映像出力信号および前記音声出力信号と、前記デジタル放送信号に基づく前記映像出力信号および前記音声出力信号とを切り替える際、その時間差を吸収する時間差吸収処理を行うことが好ましい。
【００１６】
また、この場合に、前記時間差吸収処理が、前記時間差が無くなるまで前記映像・音声データ格納部からの前記映像データおよび前記音声データを所定の割合で追加するものであり、前記時間差吸収処理の後、前記アナログ放送信号に基づく前記映像出力信号および前記音声出力信号から、前記デジタル放送信号に基づく前記映像出力信号および前記音声出力信号への切り替えを行うこと、もしくは、前記時間差吸収処理が、前記時間差が無くなるまで前記映像・音声データ格納部からの前記映像データおよび前記音声データを所定の割合で削除するものであり、前記デジタル放送信号に基づく前記映像出力信号および前記音声出力信号から、前記アナログ放送信号に基づく前記映像出力信号および前記音声出力信号への切り替えを行った後、前記時間差吸収処理を行うことが好ましい。
【００１７】
このように、検出された時間差を少しずつ解消するように映像データと音声データを加工して出力することで、視聴番組の欠落や重複を防止することができ、デジタル放送視聴状態とアナログ放送視聴状態との切り替えをスムーズに行って、切り替え時に聴視者が感じる違和感を緩和することができる。
【００１８】
また、前記デジタル放送信号に基づく前記映像出力信号および前記音声出力信号から、前記アナログ放送信号に基づく前記映像出力信号および前記音声出力信号へ切り替えた後、一定の時間は前記時間差吸収処理を行わずに、前記映像・音声データ格納部から前記映像データおよび前記音声データを前記時間差を保ったまま出力し、前記一定の時間内に、前記デジタル放送信号に基づく前記映像出力信号および前記音声出力信号への切り替え条件を満たさなかった場合に、前記時間差吸収処理を行うことが好ましい。
【００１９】
このようにすることで、例えばビル陰やトンネルなど短時間でデジタル放送視聴状態への復帰切り替えが可能な場合に、時間差吸収処理を削減することが可能となり、聴視者が番組を視聴する際の違和感を緩和することができる。
【００２０】
さらに、前記アナログ放送信号に基づく前記映像出力信号および前記音声出力信号から、前記デジタル放送信号に基づく前記映像出力信号および前記音声出力信号への切り替えの際、一定の時間は前記時間差吸収処理を行わずに待機し、待機している間に前記アナログ音声変化検出部が音声形式の変化を検出した場合、もしくは、前記待機時間が経過した場合に、前記時間差吸収処理と前記デジタル放送信号に基づく前記映像出力信号および前記音声出力信号への切り替えを行うことが好ましい。
【００２１】
このようにすることで、デジタル放送視聴状態とアナログ放送視聴状態との切り替えを、その切り替えが目立ちにくいタイミングで行うことができ、聴視者が感じる切り替え時の違和感を緩和することができる。
【００２２】
さらに、前記アナログ放送信号に基づく前記映像出力信号および前記音声出力信号から、前記デジタル放送信号に基づく前記映像出力信号および前記音声出力信号への切り替えの際、前記デジタルストリームから取得した番組表情報に基づいて番組の変化を検出し、前記デジタル放送信号に基づく前記映像出力信号および前記音声出力信号への切り替えを前記番組の変化時に合わせて行うことが好ましい。
【００２３】
このようにすることで、デジタル放送視聴状態とアナログ放送視聴状態との切り替えを、その切り替えが目立ちにくい番組変化時に行うことができ、聴視者が感じる切り替え時の違和感を緩和することができる。
【００２４】
また、位置情報を出力するカーナビゲーションシステムをさらに備え、前記位置情報に基づく現在位置が、デジタル放送の視聴エリア外である場合には、前記アナログ放送信号に基づく前記映像出力信号および前記音声出力信号に切り替えることが望ましい。
【００２５】
このようにすることで、デジタル放送視聴可能エリアの境界付近で頻発することが想定されるデジタル放送視聴状態とアナログ放送視聴状態との切り替え回数を低減し、切り替え時に聴視者が感じる違和感を緩和することができる。
【００２６】
さらにまた、前記デジタル放送信号に基づく前記映像出力信号および前記音声出力信号と、前記アナログ放送信号に基づく前記映像出力信号および前記音声出力信号のいずれもが、視聴に耐えないものと判断される場合には、前記映像・音声デコード部は、前記制御部が出力したＯＳＤデータを表示装置に出力することが好ましい。
【００２７】
このようにすることで、表示装置が聴視者の視聴に耐えない映像を表示したり、音声を出力したりすることを確実に防止することができる。
【００２８】
以下、本発明の実施形態について図面を参照しながら説明する。
【００２９】
（実施の形態１）
図１は、本発明にかかるテレビジョン放送受信装置の、第１の実施形態における装置構成を示すブロック図である。図１に示すように、本実施形態にかかるテレビジョン放送受信装置は、アナログ放送受信回路を形成する、アナログ放送受信アンテナ１、アナログチューナ２、映像ノイズ除去回路３、映像Ａ／Ｄコンバータ４、音声Ａ／Ｄコンバータ５と、デジタル放送受信回路を形成する、デジタル放送受信アンテナ７、デジタルチューナ８、復調部９と、制御部６１、映像・音声デコード部１０、表示装置１１から構成されている。
【００３０】
アナログチューナ２は、アナログ放送受信アンテナ１を介してアナログ放送を受信すると、制御部６１にアナログ放送受信感度情報Ｄ６と映像ノイズ除去回路３にアナログ映像信号Ｄ１、音声Ａ／Ｄコンバータ５にアナログ音声信号Ｄ２を出力する。映像ノイズ除去回路３は、アナログ映像信号Ｄ１が入力されると、アナログ映像信号Ｄ１のノイズを除去し、映像Ａ／Ｄコンバータ４にアナログ映像信号Ｄ３を出力する。映像Ａ／Ｄコンバータ４は、アナログ映像信号Ｄ３が入力されると、アナログ映像信号をデジタル映像信号に変換し、映像・音声デコード部１０に映像データＤ４を出力する。音声Ａ／Ｄコンバータ５は、アナログ音声信号Ｄ２が入力されると、アナログ音声信号をデジタル音声信号に変換し、映像・音声デコード部１０に音声データＤ５を出力する。以上がアナログ放送受信回路を形成する。
【００３１】
デジタルチューナ８は、デジタル放送受信アンテナ７を介してデジタル放送を受信すると、復調部９にデジタル信号Ｄ７を出力する。復調部９は、デジタル信号Ｄ７が入力されると、復調を行い、制御部６１にデジタル放送受信感度情報Ｄ８とデジタル放送受信エラーレート情報Ｄ９を出力し、映像・音声デコード部１０にデジタルストリームＤ１０を出力する。以上が、デジタル放送受信回路を形成する。
【００３２】
制御部６１は、アナログチューナ２からアナログ放送受信感度情報Ｄ６が入力されると所定の処理を行い、映像・音声デコード部１０にデコード部制御信号Ｃ１とＯＳＤデータＤ１１を出力する。所定の処理の内容については図２および図３の説明として後述する。
【００３３】
映像・音声デコード部１０は、復調部９から出力されるデジタルストリームＤ１０か、あるいは映像Ａ／Ｄコンバータ４から出力される映像データＤ４と音声Ａ／Ｄコンバータ５から出力される音声データＤ５か、あるいは制御部６１から出力されるＯＳＤデータＤ１１のどれか１つのデータを、制御部６１から出力されるデコード部制御信号Ｃ１に基づいて選択し、表示装置１１に映像出力信号Ｄ１２と音声出力信号Ｄ１３として出力する。表示装置１１は、音声出力信号Ｄ１３の音声出力と映像出力信号Ｄ１２の表示を行う。
【００３４】
ここで、復調部９から出力されるデジタルストリームＤ１０が映像・音声デコード部１０でデコードされた映像出力信号Ｄ１２と音声出力信号Ｄ１３とが、デジタル放送信号に基づいて生成された出力信号となる。一方、映像Ａ／Ｄコンバータ４から出力される映像データＤ４と音声Ａ／Ｄコンバータ５から出力される音声データＤ５が映像・音声デコード部１０でデコードされた映像出力信号Ｄ１２と音声出力信号Ｄ１３とが、アナログ放送信号に基づいて生成された出力信号となる。以下、本発明の説明において、表示装置１１がデジタル放送信号に基づいて生成された出力信号を表示している状態を、デジタル放送視聴状態という。また、表示装置１１がアナログ放送信号に基づいて生成された出力信号を表示している状態を、アナログ放送視聴状態ということとする。
【００３５】
次に、図２は、本実施の形態にかかるテレビジョン放送受信装置の制御部６１の構成を示すブロック図である。
【００３６】
図２に示すように、制御部６１は、ＲＡＭ１２と、ＣＰＵ１３と、ＲＯＭ１４から構成されている。ＲＯＭ１４には、予めデジタル放送視聴状態とアナログ放送視聴状態の切り替え処理を行うプログラムが格納されており、ＣＰＵ１３はＲＯＭ１４からのプログラムデータＤ１５を受領すると、その実行処理を行い、演算結果等のワークデータＤ１４をＲＡＭ１２に格納する。以下、ＣＰＵ１３におけるデジタル放送視聴状態とアナログ放送視聴状態との切り替え処理の動作について、その処理プログラムの内容を示す図３を合わせて用いて説明する。
【００３７】
図３は、本実施の形態にかかるテレビジョン放送受信装置における、デジタル放送視聴状態とアナログ放送視聴状態の切り替え処理を示すステップ図である。
【００３８】
本実施形態にかかるテレビジョン放送受信装置に電源が投入されると、ＣＰＵ１３は、予めＲＯＭ１４に格納していた受信感度基準値や放送受信エラーレート基準値、視聴放送情報などの所定値を呼び出してＲＡＭ１２へ転送し、ステップｎ１の処理を開始する。
【００３９】
ステップｎ２において、ＣＰＵ１３は復調部９からのデジタル放送受信感度情報Ｄ８を取得する。
【００４０】
ステップｎ３において、デジタル放送受信感度が視聴に耐えるレベルであるかの判断を行うために、ステップｎ２で取得したデジタル放送受信感度情報Ｄ８と予め設定してある受信感度基準値とを比較し、デジタル放送受信感度情報Ｄ８が受信感度基準値以上の場合はｎ４へ移行し、デジタル放送受信感度情報Ｄ８が受信感度基準値未満の場合はｎ８へ移行する。受信感度基準値は、視聴に耐える最低限度の値であり、経験的な値である。
【００４１】
ステップｎ４において、復調部９からデジタル放送のデジタル放送受信エラーレート情報Ｄ９を取得する。
【００４２】
ステップｎ５において、デジタル放送受信エラーレートが視聴に耐えるレベルであるか否かの判断を行うために、ステップｎ４で取得したデジタル放送受信エラーレート情報Ｄ９と予め設定してあるデジタル放送受信エラーレート基準値とを比較し、デジタル放送受信エラーレート情報Ｄ９がデジタル放送受信エラーレート基準値より良い状態を示す値の場合はｎ６へ移行し、デジタル放送受信エラーレート情報Ｄ９がデジタル放送受信エラーレート基準値よりも悪い状態を示す値の場合はｎ８へ移行する。デジタル放送受信エラーレート基準値は、エラー修正可能な最低限度の値であり、経験的な値である。
【００４３】
ステップｎ６において、ＣＰＵ１３はＲＡＭ１２から現在視聴している放送がデジタル放送なのか、それともアナログ放送なのかが区別できる視聴放送情報Ｄ３０を取得する。
【００４４】
ステップｎ７において、ステップｎ６で取得した視聴放送情報Ｄ３０をもとに、現在視聴している放送がアナログ放送であるか否かの判断を行い、アナログ放送であればステップｎ１３へ移行し、アナログ放送でなければステップｎ１７へ移行する。
【００４５】
ステップｎ１３において、ＣＰＵ１３は映像・音声デコード部１０にデコード部制御信号Ｃ１を出力し、デジタル放送視聴状態に切り替えを指示する。その結果、映像・音声デコード部１０からは、復調部９から出力されるデジタルストリームＤ１０を、表示装置１１に映像出力信号Ｄ１２と音声出力信号Ｄ１３として出力する。
【００４６】
ステップｎ１４において、ＣＰＵ１３は、現在デジタル放送を視聴しているという情報を視聴放送情報Ｄ３０に反映し、ＲＡＭ１２へ格納する。
【００４７】
ステップｎ８において、アナログ放送受信感度は視聴に耐えるレベルか否かを判断するためにＣＰＵ１３は、アナログ放送の受信感度情報Ｄ６を取得する。
【００４８】
ステップｎ９において、アナログ放送の受信感度情報Ｄ６と予め設定してあるアナログ受信感度基準値とを比較し、アナログ放送の受信感度情報Ｄ６がアナログ放送受信感度基準値以上の場合はｎ１０へ移行し、受信感度情報値Ｄ６が受信感度基準値未満の場合はｎ１２へ移行する。アナログ受信感度基準値は、視聴に耐える最低限度の値であり、経験的な値である。
【００４９】
ステップｎ１０において、ＣＰＵ１３はＲＡＭ１２から現在視聴している放送がデジタル放送なのか、それともアナログ放送なのかが区別できる視聴放送情報Ｄ３０を取得する。
【００５０】
ステップｎ１１において、ステップｎ１０で取得した視聴放送情報Ｄ３０をもとに、現在視聴している放送がデジタル放送なのか否かの判断を行い、デジタル放送であればステップｎ１５へ移行し、デジタル放送でなければステップｎ１７へ移行する。
【００５１】
ステップｎ１５において、ＣＰＵ１３は映像・音声デコード部１０にデコード部制御信号Ｃ１を出力し、アナログ放送視聴状態へ切り替えを指示する。その結果、映像・音声デコード部１０からは、映像Ａ／Ｄコンバータ４から出力される映像データＤ４と音声Ａ／Ｄコンバータ５から出力する音声データＤ５を、表示装置１１に映像出力信号Ｄ１２と音声出力信号Ｄ１３として出力する。
【００５２】
ステップｎ１６において、ＣＰＵ１３は、現在アナログ放送を視聴しているという情報を視聴放送情報Ｄ３０に反映し、ＲＡＭ１２へ格納する。
【００５３】
ステップｎ１２において、デジタル放送とアナログ放送の両放送が受信できない場合であるから、ＣＰＵ１３は映像・音声デコード部１０にデコード部制御信号Ｃ１を出力し、制御部６１から出力されるＯＳＤデータＤ１１を表示装置１１で表示する。このＯＳＤデータＤ１１の具体例は、図４に示すような放送を受信できないというエラーメッセージ２１である。
【００５４】
ステップｎ１７において、処理は終了するが、装置に電源が投入されている場合は、再びステップｎ１へ戻って処理を再開する。
【００５５】
このように、本実施形態にかかるテレビジョン放送受信装置では、デジタル放送受信感度情報と、アナログ放送受信感度情報とでそれぞれの放送方式での受信感度を把握するとともに、デジタル放送受信エラーレート情報によって、デジタル放送信号の受信感度が十分である場合でも、デジタル放送受信エラーレートがエラー訂正可能な最低限度よりも悪い状態の値を示す場合には、アナログ放送視聴状態として聴視者の視聴に耐えられない画像信号や音声信号が出力されることを防止することができる。これによって、デジタル放送受信感度は高いものの、デジタル放送受信エラーのために映像や音声がデコードできない状態となって表示装置１１に何も表示されない状態となることを回避し、このような場合はアナログ放送へ切り替えることによって継続的に番組を視聴することが可能となる。
【００５６】
また、アナログ放送の受信状態も視聴に耐えるレベルに到達しない場合には、ＯＳＤであるエラーメッセージを出力することで、聴視者の視聴に耐えられない画像信号や音声信号が出力されることを防止することができる。
【００５７】
次に、本実施形態にかかるテレビジョン放送受信装置において、デジタル放送視聴状態とアナログ放送視聴状態との切り替えにおいて、画質の変化を緩和する方法について説明する。
【００５８】
図５は、画質の変化を緩和する処理を示すステップ図である。なお、図５に示すステップ図では、デジタル放送視聴状態とアナログ放送視聴状態との、どちらの受信状態とするかの判断部分であるステップｎ２１〜ｎ３２までは、図３に示したステップ図におけるステップｎ１〜ｎ１２に対応し、処理の内容は同じであるので、当該部分の説明は簡略化する。
【００５９】
図５に示すように、本実施形態にかかるテレビジョン放送受信装置に電源が投入されると、制御部６１のＣＰＵ１３は、予めＲＯＭに格納されている受信感度基準値や放送受信エラーレート基準値、視聴放送情報などの所定値をＲＡＭ１２へ転送し、ステップｎ２１の処理を開始する。
【００６０】
ステップｎ２２、ｎ２３において、制御部６１は復調部９からデジタル放送受信感度情報Ｄ８を取得して受信感度基準値と比較し、デジタル放送受信感度情報Ｄ８が受信感度基準値以上の場合はｎ２４へ移行し、デジタル放送受信感度情報Ｄ８が受信感度基準値未満の場合はｎ２８へ移行する。
【００６１】
ステップｎ２４、ｎ２６において、制御部６１は復調部９からデジタル放送の受信エラーレート情報値Ｄ９を取得してデジタル放送受信エラーレート基準値と比較し、デジタル放送受信エラーレート情報Ｄ９がデジタル放送受信エラーレート基準値よりも良い状態を示す値の場合はｎ２６へ移行し、デジタル放送受信エラーレート情報Ｄ９がデジタル放送受信エラーレート基準値よりも悪い状態を示す値の場合はｎ２８へ移行する。
【００６２】
ステップｎ２６、ｎ２７において、現在視聴している放送がアナログ放送であるか否かの判断を行い、アナログ放送であればステップｎ３３へ移行し、アナログ放送でなければステップｎ３９へ移行する。
【００６３】
ステップｎ３３において、ＣＰＵ１３は映像・音声デコード部１０にデコード部制御信号Ｃ１を出力し、アナログ放送信号に基づく出力信号のフェードアウトを指示する。
【００６４】
ステップｎ３４において、ＣＰＵ１３は映像・音声デコード部１０にデコード部制御信号Ｃ１を出力し、デジタル放送信号に基づく出力信号のフェードインを指示する。
【００６５】
ステップｎ３５において、ＣＰＵ１３は、現在デジタル放送を視聴しているという情報を視聴放送情報Ｄ３０に反映し、ＲＡＭ１２へ格納する。
【００６６】
ステップｎ２８、ｎ２９において、ＣＰＵ１３は、アナログ放送の受信感度情報Ｄ６を取得してアナログ受信感度基準値と比較し、アナログ放送の受信感度情報Ｄ６がアナログ放送受信感度基準値以上の場合はｎ３０へ移行し、アナログ放送受信感度情報値Ｄ６が受信感度基準値未満の場合はｎ３２へ移行する。
【００６７】
ステップｎ３０、ｎ３１において、現在視聴している放送がデジタル放送であるか否かの判断を行い、デジタル放送であればステップｎ３６へ移行し、デジタル放送でなければステップｎ３９へ移行する。
【００６８】
ステップｎ３６において、ＣＰＵ１３は映像・音声デコード部１０にデコード部制御信号Ｃ１を出力し、デジタル放送信号に基づく出力信号のフェードアウトを指示する。
【００６９】
ステップｎ３７において、ＣＰＵ１３は映像・音声デコード部１０にデコード部制御信号Ｃ１を出力し、アナログ放送信号に基づく出力信号のフェードインを指示する。
【００７０】
ステップｎ３８において、ＣＰＵ１３は、現在アナログ放送を視聴しているという情報を視聴放送情報Ｄ３０に反映し、ＲＡＭ１２へ格納する。
【００７１】
ステップｎ３２において、デジタル放送とアナログ放送の両放送が受信できない場合であるから、ＣＰＵ１３は映像・音声デコード部１０にデコード部制御信号Ｃ１を出力し、制御部６１から出力されるＯＳＤデータＤ１１を表示装置１１で表示する。このＯＳＤデータＤ１１の具体例は、図４に示すような放送を受信できないというエラーメッセージ２１である。
【００７２】
ステップｎ３９において、処理を終了するが、テレビジョン放送受信装置に電源が投入されている場合は、再びステップｎ２１へ戻って処理を再開する。
【００７３】
このような処理を行うことで、デジタル放送視聴状態からアナログ放送視聴状態への切り替え、またはアナログ放送視聴状態からデジタル放送視聴状態への切り替えにおいて、切り替え前の放送をフェードアウトし切り替え後の放送をフェードインすることによって、映像画質の急激な変化を抑制することが可能となり、聴視者が番組を視聴する際の違和感を緩和することができる。
【００７４】
（実施の形態２）
次に、本発明にかかるテレビジョン放送受信装置の第２の実施形態について説明する。
【００７５】
図６は、本発明の第２の実施形態におけるテレビジョン放送受信装置の構成を示すブロック図である。なお、本発明の第１の実施形態として図１に示したテレビジョン放送受信装置と同じ構成要素や同等の信号には同じ符号をつけて、２つの実施形態の構成や信号の流れの比較を容易にする。
【００７６】
図６に示すように本実施形態にかかるテレビジョン放送受信装置は、アナログ放送受信回路を形成する、アナログ放送受信アンテナ１、アナログチューナ２、映像ノイズ除去回路３、映像Ａ／Ｄコンバータ４、音声Ａ／Ｄコンバータ５と、制御部６２、デジタル放送受信回路を形成する、デジタル放送受信アンテナ７、デジタルチューナ８、復調部９と、制御部６２、映像・音声デコード部１０、表示装置１１、アナログ音声変化検出部１５、タイマ１６、デジタル音声変化検出部１７、映像・音声データ格納部１８から構成されている。
【００７７】
アナログチューナ２は、アナログ放送受信アンテナ１を介してアナログ放送を受信すると、制御部６２にアナログ放送受信感度情報Ｄ６と映像ノイズ除去回路３にアナログ映像信号Ｄ１、音声Ａ／Ｄコンバータ５にアナログ音声信号Ｄ２を出力する。映像ノイズ除去回路３は、アナログ映像信号Ｄ１が入力されると、アナログ映像信号Ｄ１のノイズを除去し、映像Ａ／Ｄコンバータ４にアナログ映像信号Ｄ３を出力する。映像Ａ／Ｄコンバータ４は、アナログ映像信号Ｄ３が入力されると、アナログ映像信号をデジタル映像信号に変換し、映像データＤ４を出力する。音声Ａ／Ｄコンバータ５は、アナログ音声信号Ｄ２が入力されると、アナログ音声信号をデジタル音声信号に変換し、音声データＤ５を出力する。以上が、アナログ放送受信回路を形成する。
【００７８】
さらに、映像・音声データ格納部１８は、映像データＤ４と音声データＤ５が入力されると、所定の方法で順次それぞれのデータを格納し、制御部６２からの映像・音声データ格納部制御信号Ｃ２にしたがって、映像・音声デコード部１０に映像データＤ２２と音声データＤ２３を出力する。一方、アナログ音声変化検出部１５は、音声データＤ５が入力されると、アナログ音声データが大きく変化する変化点を検出し、制御部６１にアナログ音声情報Ｄ１６を出力する。
【００７９】
デジタルチューナ８は、デジタル放送受信アンテナ７を介してデジタル放送を受信すると、復調部９にデジタル信号Ｄ７を出力する。復調部９は、デジタル信号Ｄ７が入力されると、復調を行い、制御部６２にデジタル放送受信感度情報Ｄ８とデジタル放送受信エラーレート情報Ｄ９を出力し、映像・音声デコード部１０にデジタルストリームＤ１０を出力する。以上が、デジタル放送受信回路を形成する。
【００８０】
映像・音声デコード部１０は、デジタルストリームＤ１０が入力されると、デジタル音声変化検出部１７にデジタル音声データＤ１８を出力する。デジタル音声変化検出部１７は、デジタル音声データＤ１８が入力されるとデジタル音声データが大きく変化する変化点を検出し、制御部６２にデジタル音声情報Ｄ１９を出力する。
【００８１】
タイマ１６は、本発明のテレビジョン放送受信装置に電源が供給されているかいないかにかかわらず、独立して電源が供給されているため、常に時刻管理を行うことができ、制御部６２に対し現在時刻情報Ｄ１７を出力する。
【００８２】
制御部６２は、アナログチューナ２から出力されるアナログ放送受信感度情報Ｄ６と、アナログ音声変化検出部１５から出力されるアナログ音声情報Ｄ１６と、デジタル音声変化検出部１７から出力されるデジタル音声情報Ｄ１９と、タイマ１６から出力される現在時刻情報Ｄ１７が入力されると所定の処理を行い、映像・音声デコード部１０にデコード部制御信号Ｃ１とＯＳＤデータＤ１１を出力する。所定の処理の内容については図７および図８を示して後述する。
【００８３】
映像・音声デコード部１０は、映像・音声データ格納部１８から出力される映像データＤ２２と音声データＤ２３、あるいは復調部９から出力されるデジタルストリームＤ１０、あるいは制御部６２から出力されるＯＳＤデータＤ１１のどれか１つのデータを、制御部６２から出力されるデコード部制御信号Ｃ１に基づいて選択し、表示装置１１に映像出力信号Ｄ１２と音声出力信号Ｄ１３として出力する。表示装置１１は、音声出力信号Ｄ１３の音声出力と映像出力信号Ｄ１２の表示を行う。
【００８４】
次に、図７は、本実施の形態にかかるテレビジョン放送受信装置の制御部６２の構成を示すブロック図である。
【００８５】
図７に示すように、制御部６２は、構成自体は図２に示した本発明の第１の実施形態にかかるテレビジョン放送受信装置における制御部６１と同じで、ＲＡＭ１２と、ＣＰＵ１３と、ＲＯＭ１４とから構成される。ＲＯＭ１４には、予めデジタル放送視聴状態とアナログ放送視聴状態の時間差検出処理を行うプログラムが格納されており、ＣＰＵ１３はＲＯＭ１４からのプログラムデータＤ１５を受領すると、その実行処理を行い、演算結果等のワークデータＤ１４をＲＡＭ１２に格納する。以下、ＣＰＵ１３におけるデジタル放送信号に基づく出力信号とアナログ放送信号に基づく出力信号との時間差処理の動作について、その処理プログラムの内容を示す図８〜図１３を合わせて用いて説明する。
【００８６】
図８は、本発明の第２の実施形態にかかるテレビジョン放送受信装置における、デジタル放送信号に基づく出力信号とアナログ放送信号に基づく出力信号との時間差処理を行うプログラムの動作を示すステップ図である。
【００８７】
本実施形態にかかるテレビジョン放送受信装置に電源が投入されると、ＣＰＵ１３は、予めＲＯＭ１４に格納していた受信感度基準値や放送受信エラーレート基準値、視聴放送情報などの所定値をＲＡＭ１２へ転送し、ステップｎ４１の処理を開始する。
【００８８】
ステップｎ４２において、時間差検出処理を実行する。この時間差検出処理の詳細は、図９を用いて後述する。
【００８９】
ステップｎ４３において、ＣＰＵ１３は、復調部９からのデジタル放送の受信感度情報値Ｄ８を取得する。
【００９０】
ステップｎ４４において、デジタル放送受信感度が視聴に耐えるレベルであるかの判断を行うために、ステップｎ４３で取得した受信感度情報値Ｄ８と予め設定してある受信感度基準値とを比較し、受信感度情報値Ｄ８が受信感度基準値以上の場合はｎ４５へ移行し、受信感度情報値Ｄ８が受信感度基準値未満の場合はｎ４９へ移行する。受信感度基準値は、視聴に耐える最低限度の値であり、経験的な値である。
【００９１】
ステップｎ４５において、復調部９からデジタル放送の受信エラーレート情報値Ｄ９を取得する。
【００９２】
ステップｎ４６において、デジタル放送受信エラーレートは視聴に耐えるレベルであるか否かの判断を行うために、ステップｎ４５で取得したデジタル放送受信エラーレート情報値Ｄ９と予め設定してあるデジタル放送受信エラーレート基準値とを比較し、デジタル放送受信エラーレート情報値Ｄ９がデジタル放送受信エラーレート基準値よりも良い状態の値を示すものである場合はｎ４７へ移行し、デジタル放送受信エラーレート情報値Ｄ９がデジタル放送受信エラーレート基準値よりも悪い状態の値を示すものである場合はｎ４９へ移行する。デジタル放送受信エラーレート基準値は、エラー訂正可能な最低限度の値であり、経験的な値である。
【００９３】
ステップｎ４７において、ＣＰＵ１３はＲＡＭ１２から現在視聴している放送がデジタル放送なのか、それともアナログ放送なのかが区別できる視聴放送情報Ｄ３０を取得する。
【００９４】
ステップｎ４８において、ステップｎ４７で取得した視聴放送情報Ｄ３０をもとに、現在視聴している放送がアナログ放送であるか否かの判断を行い、アナログ放送であればステップｎ５４へ移行し、アナログ放送でなければステップｎ６０へ移行する。
【００９５】
ステップｎ５４において、アナログ放送視聴状態からデジタル放送視聴状態への切り替えを行う。詳細は図１０を用いて後述する。
【００９６】
ステップｎ５５において、ＣＰＵ１３は映像・音声デコード部１０にデコード部制御信号Ｃ１を出力し、デジタル放送視聴状態への切り替えを指示する。
【００９７】
ステップｎ５６において、ＣＰＵ１３は、現在デジタル放送を視聴しているという情報を視聴放送情報Ｄ３０に反映し、ＲＡＭ１２へ格納する。
【００９８】
ステップｎ４９において、アナログ放送受信感度は視聴に耐えるレベルか否かを判断するためにＣＰＵ１３は、アナログ放送の受信感度情報Ｄ６を取得する。
【００９９】
ステップｎ５０において、アナログ放送の受信感度情報Ｄ６と予め設定してあるアナログ受信感度基準値とを比較し、アナログ放送の受信感度情報Ｄ６がアナログ放送受信感度基準値以上の場合はｎ５１へ移行し、受信感度情報値Ｄ６が受信感度基準値未満の場合はｎ５３へ移行する。アナログ受信感度基準値は、視聴に耐える最低限度の値であり、経験的な値である。
【０１００】
ステップｎ５１において、ＣＰＵ１３はＲＡＭ１２から現在視聴している放送がデジタル放送なのか、それともアナログ放送なのかが区別できる視聴放送情報Ｄ３０を取得する。
【０１０１】
ステップｎ５２において、ステップｎ５１で取得した視聴放送情報Ｄ３０をもとに、現在視聴している放送がデジタル放送なのか否かの判断を行い、デジタル放送であればステップｎ５７へ移行し、デジタル放送でなければステップｎ６０へ移行する。
【０１０２】
ステップｎ５７において、ＣＰＵ１３は映像・音声デコード部１０にデコード部制御信号Ｃ１を出力し、アナログ放送視聴状態への切り替えを指示する。
【０１０３】
ステップｎ５８において、ＣＰＵ１３は、現在アナログ放送を視聴しているという情報を視聴放送情報Ｄ３０に反映し、ＲＡＭ１２へ格納する。
【０１０４】
ステップｎ５９において、デジタル放送視聴状態からアナログ放送視聴状態への切り替えを行う。詳細は図１１を用いて後述する。
【０１０５】
ステップｎ５３において、デジタル放送とアナログ放送の両放送が受信できない場合であるから、ＣＰＵ１３は映像・音声デコード部１０にデコード部制御信号Ｃ１を出力し、制御部６２から出力されるＯＳＤデータＤ１１を表示装置１１で表示する。このＯＳＤデータＤ１１の具体例は、図４に示すような放送を受信できないというエラーメッセージ２１である。
【０１０６】
ステップｎ６０において、処理を終了し、テレビジョン放送受信装置の電源が投入されている場合は、再びステップｎ４１へ戻って処理を再開する。
【０１０７】
次に、図８におけるステップ図で、説明を後述するとしたそれぞれの処理について順次説明していく。まず、図８のステップｎ４２で行う、デジタル放送信号に基づく出力信号と、アナログ放送信号に基づく出力信号との、時間差検出処理について、図９を用いて説明する。
【０１０８】
まず、ステップｎ７１において時間差検出処理を開始する。
【０１０９】
ステップｎ７２において、タイマから現在時刻情報を取得する。
【０１１０】
ステップｎ７３において、取得した時刻情報をＲＡＭに格納する。
【０１１１】
ステップｎ７４において、ＣＰＵ１３は復調部９からのデジタル放送の受信感度情報値Ｄ８を取得する。
【０１１２】
ステップｎ７５において、デジタル放送受信感度は視聴に耐えるレベルであるかの判断を行うために、ステップｎ７４で取得した受信感度情報値Ｄ８と予め設定してある受信感度基準値とを比較し、受信感度情報値Ｄ８が受信感度基準値以上の場合はｎ７６へ移行し、受信感度情報値Ｄ８が受信感度基準値未満の場合はｎ８５へ移行する。受信感度基準値は、視聴に耐える最低限度の値であり、経験的な値である。
【０１１３】
ステップｎ７６において、復調部９からデジタル放送の受信エラーレート情報値Ｄ９を取得する。
【０１１４】
ステップｎ７７において、デジタル放送受信エラーレートは視聴に耐えるレベルであるかの判断を行うために、ステップｎ７６で取得したデジタル放送受信エラーレート情報値Ｄ９と予め設定してあるデジタル放送受信エラーレート基準値とを比較し、デジタル放送受信エラーレート情報値Ｄ９がデジタル放送受信エラーレート基準値よりも良い状況を示す値の場合はｎ７８へ移行し、デジタル放送受信エラーレート情報値Ｄ９がデジタル放送受信エラーレート基準値よりも悪い状況を示す値の場合はｎ８５へ移行する。デジタル放送受信エラーレート基準値は、エラー訂正可能な最低限度の値であり、経験的な値である。
【０１１５】
ステップｎ７８において、アナログ放送受信感度は視聴に耐えるレベルかを判断するためにＣＰＵ１３は、アナログ放送の受信感度情報Ｄ６を取得する。
【０１１６】
ステップｎ７９において、アナログ放送の受信感度情報Ｄ６と予め設定してあるアナログ受信感度基準値とを比較し、アナログ放送の受信感度情報Ｄ６がアナログ放送受信感度基準値以上の場合はｎ８０へ移行し、受信感度情報値Ｄ６が受信感度基準値未満の場合はｎ８５へ移行する。アナログ受信感度基準値は、視聴に耐える最低限度の値であり、経験的な値である。
【０１１７】
ステップｎ８０において、ＲＡＭ１２から時刻情報Ｄ２０を取得する。
【０１１８】
ステップｎ８１において、タイマ１６から現在時刻情報Ｄ１７を取得する。
【０１１９】
ステップｎ８２において、現在時刻情報Ｄ１７と時刻情報Ｄ２０から時間差を算出し、基準値以内であるかの判定を行い、基準値以内であればステップｎ８３へ、基準値以内でなければステップｎ８５へ移行する。
【０１２０】
ステップｎ８３において、アナログ音声変化検出部１５からアナログ音声情報Ｄ１６を取得する。
【０１２１】
ステップｎ８４において、アナログ音声情報Ｄ１６からアナログ放送の音声形式は変化したかの判断を行い、変化したと判断した場合はステップｎ８７へ、変化していないと判断した場合はステップｎ８１へ移行する。
【０１２２】
ステップｎ８５において、遅延時間情報Ｄ２１の値を“０”としてＲＡＭ１２に格納する。
【０１２３】
ステップｎ８７において、タイマ１６から現在時刻情報Ｄ１７を取得する。
【０１２４】
ステップｎ８８において、取得した現在時刻情報Ｄ１７を時刻情報Ｄ２０としてＲＡＭ１２に格納する。
【０１２５】
ステップｎ８９において、デジタル音声変化検出部１７からデジタル音声情報Ｄ１９を取得する。
【０１２６】
ステップｎ９０において、デジタル放送の音声形式は変化したかの判断を行い、
変化したと判断した場合はステップｎ３００へ、変化していないと判断した場合はステップｎ８９へ移行する。
【０１２７】
ステップｎ３００において、タイマ１６から現在時刻情報Ｄ１７を取得する。
【０１２８】
ステップｎ３０１において、ステップｎ８８で取得した時刻情報Ｄ２０とステップｎ３００で取得した現在時刻情報Ｄ１７から差分を算出する。
【０１２９】
ステップｎ３０２において、計算した差分を遅延時間情報Ｄ２１としてＲＡＭ１２に格納する。
【０１３０】
ステップｎ８６およびステップｎ３０３において、処理を終了する。
【０１３１】
以上で、図８のステップｎ４２で行う、デジタル放送信号に基づく出力信号と、アナログ放送信号に基づく出力信号との、時間差検出処理についての説明を終わる。
【０１３２】
次に、図８のステップｎ５４において行われるアナログ放送視聴状態からデジタル放送視聴状態への切り替え処理について、この処理のプログラム動作を示す図１０を用いて説明する。
【０１３３】
まず、ステップｎ９１において処理を開始する。
【０１３４】
ステップｎ９２において、ＣＰＵ１３は、ＲＡＭ１２から遅延時間情報Ｄ２１を取得する。
【０１３５】
ステップｎ９３において、遅延時間差量が残っているかの判定を行い、遅延時間差量が残っていればステップｎ９４へ移行し、残っていなければステップｎ９７へ移行する。
【０１３６】
ステップｎ９４において、映像・音声データ格納部１０に対して保持されている映像データ４フレームにつき１フレーム追加して出力するよう指示する。
【０１３７】
ステップｎ９５において、映像・音声データ格納部１０に対して保持されている音声データ４／３０秒につき１／３０秒追加して出力するよう指示する。
【０１３８】
ステップｎ９６において、遅延時間差量を１／３０秒減らし、ステップ９３へ移行する。
【０１３９】
ステップｎ９７において、処理を終了する。
【０１４０】
なお、上記図１０の説明において、映像フレームの追加の度合いを４フレームに対して１フレームとし、また、音声データの追加度合いを４／３０秒につき１／３０秒としたが、映像信号のデータ追加度合いと音声信号のデータ追加度合いとが対応していれば、その度合いは上記のものに限らない。
【０１４１】
次に、図８のステップｎ５９において行われるデジタル放送視聴状態からアナログ放送視聴状態への切り替え処理について、この処理のプログラム処理を示すステップ図を示す図１１を用いて説明する。
【０１４２】
ステップｎ１０１において処理を開始する。
【０１４３】
ステップｎ１０２において、ＣＰＵ１３はＲＡＭ１２から遅延時間情報Ｄ２１を取得する。
【０１４４】
ステップｎ１０３において、遅延時間差量が残っているかの判定を行い、遅延時間差量が残っていればステップｎ１０４へ移行し、残っていなければステップｎ１０７へ移行する。
【０１４５】
ステップｎ１０４において、映像・音声データ格納部１０に対して保持されている映像データ４フレームにつき１フレーム削除して出力するよう指示する。
【０１４６】
ステップｎ１０５において、映像・音声データ格納部１０に対して保持されている音声データ４／３０秒につき１／３０秒削除して出力するよう指示する。
【０１４７】
ステップｎ１０６において、遅延時間差量を１／３０秒減らし、ステップｎ１０３へ移行する。
【０１４８】
ステップｎ１０７において、処理を終了する。
【０１４９】
なお、上記図１１の説明において、映像フレームの削除の度合いを４フレームに対して１フレームとし、また、音声データを４／３０秒につき１／３０秒削除するとしたが、映像信号のデータ削除度合いと音声信号のデータ削除度合いとが対応していれば、その度合いは上記のものに限らない。
【０１５０】
以上説明したように、本発明の第２の実施形態にかかるテレビジョン放送受信装置によれば、アナログ放送信号での音声形式の変化した時と、デジタル放送信号での音声形式の変化した時を検出し、タイマを用いてその時間差を計測することによって、アナログ放送信号に基づく出力信号に対するデジタル放送信号に基づく出力信号の遅延時間を検出する。そして、検出したデジタル放送信号に基づく出力信号のアナログ放送信号に基づく出力信号に対する遅延時間情報を用いて、デジタル放送視聴状態からアナログ放送視聴状態に切り替える場合は、現在の時刻から遅延時間だけ経過するまで映像・音声データ格納部に格納されている映像データと音声データを例えば１．３倍速で出力する。また逆に、アナログ放送視聴状態からデジタル放送視聴状態へと切り替える場合には、現在の時刻から遅延時間だけ経過するまで映像・音声データ格納部に格納されている映像データと音声データを例えば０．８倍速で出力する。このような、異なる放送方式の視聴状態への切り替えにおいて、その遅延時間分の出力信号のずれを少しずつ補正していく時間差吸収処理を行うことによって、視聴番組の欠落や重複を防止することができ、聴視者が番組を視聴する際の違和感を緩和することが可能となる。
【０１５１】
次に、本実施形態にかかるテレビジョン放送受信装置において、上記したデジタル放送信号に基づく出力信号とアナログ放送信号に基づく出力信号の時間差を吸収する時間差吸収処理の実行回数を低減する場合について図１２を用いて説明する。
【０１５２】
図１２は、本発明の第２の実施形態にかかるテレビジョン放送受信装置における、アナログ放送信号に基づいた出力信号を用いた補完処理のプログラム動作を示すステップ図である。
【０１５３】
まず、ステップｎ１１１において処理を開始する。
【０１５４】
ステップｎ１１２において、図９を示して説明した時間差検出処理を実行する。
【０１５５】
ステップｎ１１３において、ＣＰＵ１３は、復調部９からのデジタル放送の受信感度情報値Ｄ８を取得する。
【０１５６】
ステップｎ１１４において、デジタル放送受信感度が視聴に耐えるレベルであるか否かの判断を行うために、ステップｎ１１３で取得した受信感度情報値Ｄ８と予め設定してある受信感度基準値とを比較し、受信感度情報値Ｄ８が受信感度基準値以上の場合はｎ１１５へ移行し、受信感度情報値Ｄ８が受信感度基準値未満の場合はｎ１１９へ移行する。受信感度基準値は、視聴に耐える最低限度の値であり、経験的な値である。
【０１５７】
ステップｎ１１５において、復調部９からデジタル放送の受信エラーレート情報値Ｄ９を取得する。
【０１５８】
ステップｎ１１６において、デジタル放送エラーレートが視聴に耐えるレベルであるか否かの判断を行うために、ステップｎ１１５で取得したデジタル放送受信エラーレート情報値Ｄ９と予め設定してあるデジタル放送受信エラーレート基準値とを比較し、デジタル放送受信エラーレート情報値Ｄ９がデジタル放送受信エラーレート基準値よりも良い状態を示す値の場合はｎ１１７へ移行し、デジタル放送受信エラーレート情報値Ｄ９がデジタル放送受信エラーレート基準値よりも悪い状態を示す値の場合はｎ１１９へ移行する。デジタル放送受信エラーレート基準値は、エラー訂正可能な最低限度の値であり、経験的な値である。
【０１５９】
ステップｎ１１７において、ＣＰＵ１３はＲＡＭ１２から現在視聴している放送がデジタル放送なのか、それともアナログ放送なのかが区別できる視聴放送情報Ｄ３０を取得する。
【０１６０】
ステップｎ１１８において、ステップｎ４７で取得した視聴放送情報Ｄ３０をもとに、現在視聴している放送がアナログ放送であるか否かの判断を行い、アナログ放送であればステップｎ１２４へ移行し、アナログ放送でなければステップｎ１３４へ移行する。
【０１６１】
ステップｎ１２４において、ＣＰＵ１３は映像・音声デコード部１０にデコード部制御信号Ｃ１を出力し、デジタル放送視聴状態への切り替えを指示する。
【０１６２】
ステップｎ１２５において、ＣＰＵ１３は、現在デジタル放送を視聴しているという情報を視聴放送情報Ｄ３０に反映し、ＲＡＭ１２へ格納する。
【０１６３】
ステップｎ１１９において、アナログ放送受信感度は視聴に耐えるレベルか否かを判断するためにＣＰＵ１３は、アナログ放送の受信感度情報Ｄ６を取得する。
【０１６４】
ステップｎ１２０において、アナログ放送の受信感度情報Ｄ６と予め設定してあるアナログ受信感度基準値とを比較し、アナログ放送の受信感度情報Ｄ６がアナログ放送受信感度基準値以上の場合はｎ１２１へ移行し、受信感度情報値Ｄ６が受信感度基準値未満の場合はｎ１２３へ移行する。アナログ受信感度基準値は、視聴に耐える最低限度の値であり、経験的な値である。
【０１６５】
ステップｎ１２１において、ＣＰＵ１３はＲＡＭ１２から現在視聴している放送がデジタル放送なのか、それともアナログ放送なのかが区別できる視聴放送情報Ｄ３０を取得する。
【０１６６】
ステップｎ１２２において、ステップｎ１２１で取得した視聴放送情報Ｄ３０をもとに、現在視聴している放送がデジタル放送なのか否かの判断を行い、デジタル放送であればステップｎ１２６へ移行し、デジタル放送でなければステップｎ１２８へ移行する。
【０１６７】
ステップｎ１２６において、ＣＰＵ１３は映像・音声デコード部１０にデコード部制御信号Ｃ１を出力し、アナログ放送視聴状態への切り替えを指示する。
【０１６８】
ステップｎ１２７において、ＣＰＵ１３は、現在アナログ放送を視聴しているという情報を視聴放送情報Ｄ３０に反映し、ＲＡＭ１２へ格納する。
【０１６９】
ステップｎ１２３において、デジタル放送とアナログ放送の両放送が受信できない場合であるから、ＣＰＵ１３は映像・音声デコード部１０にデコード部制御信号Ｃ１を出力し、制御部６２から出力されるＯＳＤデータＤ１１を表示装置１１で表示する。このＯＳＤデータＤ１１の具体例は、図４に示すような放送を受信できないというエラーメッセージ２１である。
【０１７０】
ステップｎ１２８において、切り替え後経過時間は基準値以下であるかの判定を行い、基準値未満であればステップｎ１２９へ移行し、基準値以上であればｎ１３２へ移行する。
【０１７１】
ステップｎ１２９において、ＲＡＭから遅延時間情報を取得する。
【０１７２】
ステップｎ１３０において、映像・音声データ格納部に対して保持されている映像データを遅延して出力するよう指示する。
【０１７３】
ステップ１３１において、映像・音声データ格納部に対して保持されている音声データを遅延して出力するよう指示する。
【０１７４】
ステップ１３２において、映像・音声データ格納部に対して保持されている映像データをリアルタイムで出力するよう指示する。
【０１７５】
ステップ１３３において、映像・音声データ格納部に対して保持されている音声データをリアルタイムで出力するよう指示する。
【０１７６】
ステップｎ１３４において、処理を終了し、テレビジョン放送受信装置に電源が投入されている場合は、再びステップｎ１１１へ戻って処理を再開する。
【０１７７】
このように、デジタル放送視聴状態からアナログ放送視聴状態に切り替わった後、一定時間が経過するまでの間、アナログ放送視聴状態を遅延時間分だけ遅延させたまま等速で出力することによって、例えばビル陰やトンネルなど短時間でデジタル放送視聴状態に復帰する切り替えが可能な場合に、時間差吸収処理の実行回数を削減することが可能となる。
【０１７８】
上記した、時間差吸収処理を行うことで、視聴していた番組が突然先に進んだり、同じシーンを繰り返したりというような極端な変化はなくなるとはいうものの、時間差吸収処理中は一定量だけの出力信号が付加または削除されるため、聴視者がある程度の不自然さを感じる場合もある。また、このように、少しずつ時間差を吸収していくものであるため、一定の時間が必要であり、頻度の高い切り替えに追従できなくなる場合も考えられる。従って、このような、時間差吸収処理は少なくてすむのであればそれに越したことはないため、一定時間の間は図１２を用いて説明したアナログ放送信号に基づいた出力信号を用いた補完処理を行い、この一定時間の間は時間差吸収処理を行わないようにすることがより好ましいのである。
【０１７９】
次に、本実施形態にかかるテレビジョン放送受信装置において、アナログ放送視聴状態からデジタル放送視聴状態へ切り替える場合の処理を、図１３を用いて説明する。
【０１８０】
まず、本実施形態にかかるテレビジョン放送受信装置に電源が投入されると、制御部６２のＣＰＵ１３は、予めＲＯＭに格納している受信感度基準値や放送受信エラーレート基準値、視聴放送情報などの所定値をＲＡＭ１２へ転送し、ステップｎ１４１の処理を開始する。
【０１８１】
ステップｎ１４２において、図９を示して説明した時間差検出処理を実行する。
【０１８２】
ステップｎ１４３において、ＣＰＵ１３は、復調部９からのデジタル放送の受信感度情報値Ｄ８を取得する。
【０１８３】
ステップｎ１４４において、デジタル放送受信感度が視聴に耐えるレベルであるか否かの判断を行うために、ステップｎ１４３で取得した受信感度情報値Ｄ８と予め設定してある受信感度基準値とを比較し、受信感度情報値Ｄ８が受信感度基準値以上の場合はｎ１４５へ移行し、受信感度情報値Ｄ８が受信感度基準値未満の場合はｎ１４９へ移行する。受信感度基準値は、視聴に耐える最低限度の値であり、経験的な値である。
【０１８４】
ステップｎ１４５において、復調部９からデジタル放送の受信エラーレート情報値Ｄ９を取得する。
【０１８５】
ステップｎ１４６において、デジタル放送受信エラーレートが視聴に耐えるレベルであるか否かの判断を行うために、ステップｎ１４５で取得したデジタル放送受信エラーレート情報値Ｄ９と予め設定してあるデジタル放送受信エラーレート基準値とを比較し、デジタル放送受信エラーレート情報値Ｄ９がデジタル放送受信エラーレート基準値よりも良い状態を示す値の場合はｎ１４７へ移行し、デジタル放送受信エラーレート情報値Ｄ９がデジタル放送受信エラーレート基準値よりも悪い状態を示す値の場合はｎ１４９へ移行する。デジタル放送受信エラーレート基準値は、エラー訂正可能な最低限度の値であり、経験的な値である。
【０１８６】
ステップｎ１４７において、ＣＰＵ１３はＲＡＭ１２から現在視聴している放送がデジタル放送なのか、それともアナログ放送なのかが区別できる視聴放送情報Ｄ３０を取得する。
【０１８７】
ステップｎ１４８において、ステップｎ１４７で取得した視聴放送情報Ｄ３０をもとに、現在視聴している放送がアナログ放送であるかの判断を行い、アナログ放送であればステップｎ１５４へ移行し、アナログ放送でなければステップｎ１６２へ移行する。
【０１８８】
ステップｎ１４９において、アナログ放送受信感度が視聴に耐えるレベルか否かを判断するためにＣＰＵ１３は、アナログ放送の受信感度情報Ｄ６を取得する。
【０１８９】
ステップｎ１５０において、アナログ放送の受信感度情報Ｄ６と予め設定してあるアナログ受信感度基準値とを比較し、アナログ放送の受信感度情報Ｄ６がアナログ放送受信感度基準値以上の場合はｎ１５１へ移行し、受信感度情報値Ｄ６が受信感度基準値未満の場合はｎ１５３へ移行する。アナログ受信感度基準値は、視聴に耐える最低限度の値であり、経験的な値である。
【０１９０】
ステップｎ１５１において、ＣＰＵ１３はＲＡＭ１２から現在視聴している放送がデジタル放送なのか、それともアナログ放送なのかが区別できる視聴放送情報Ｄ３０を取得する。
【０１９１】
ステップｎ１５２において、ステップｎ１５１で取得した視聴放送情報Ｄ３０をもとに、現在視聴している放送がデジタル放送なのかの判断を行い、デジタル放送であればステップｎ１５９へ移行し、デジタル放送でなければステップｎ１６２へ移行する。
【０１９２】
ステップｎ１５４において、切り替え保留時間は基準値以内かの判断を行い、基準値以内であればステップｎ１５５へ、基準値以内でなければステップｎ１５６へ移行する。
【０１９３】
ステップｎ１５５において、アナログ音声形式の変化はあるかの判断を行い、変化がある場合はステップｎ１５６へ、変化がない場合はステップｎ１５４へ移行する。
【０１９４】
ステップｎ１５６において、図１０で示したアナログ放送視聴状態からデジタル放送視聴状態への切り替え処理を行う。
【０１９５】
ステップｎ１５７において、ＣＰＵ１３は映像・音声デコード部１０にデコード部制御信号Ｃ１を出力し、デジタル放送視聴状態への切り替えを指示する。
【０１９６】
ステップｎ１５８において、ＣＰＵ１３は、現在デジタル放送を視聴しているという情報を視聴放送情報Ｄ３０に反映し、ＲＡＭ１２へ格納する。
【０１９７】
ステップｎ１５９において、映像・音声デコード部に対してアナログ放送視聴状態への切り替えを指示する。
【０１９８】
ステップｎ１６０において、ＲＡＭに視聴放送情報を格納する。
【０１９９】
ステップｎ１６１において、図１１で示したデジタル放送視聴状態からアナログ放送視聴状態への切り替えを行う。
【０２００】
ステップｎ１５３において、デジタル放送とアナログ放送の両放送が受信できない場合であるから、ＣＰＵ１３は映像・音声デコード部１０にデコード部制御信号Ｃ１を出力し、制御部６２から出力されるＯＳＤデータＤ１１を表示装置１１で表示する。このＯＳＤデータＤ１１の具体例は、図４に示すような放送を受信できないというエラーメッセージ２１である。
【０２０１】
ステップｎ１６２において、処理を終了し、テレビジョン放送受信装置に電源が投入されている場合は、再びステップｎ１４１へ戻って処理を再開する。
【０２０２】
以上のように、アナログ放送視聴状態からデジタル放送視聴状態への切り替えにおいて、現在の時刻から一定時間切り替えの保留を行い、保留時間以内に音声の変化がある場合は音声の変化時、すなわち、番組からＣＭへの移行時等に切り替えを行うことによって、違和感を聴視者に生じさせることなく、放送方式の切り替えを行うことができる。
【０２０３】
（実施の形態３）
次に、本発明にかかるテレビジョン放送受信装置の第３の実施形態について説明する。
【０２０４】
図１４は、本発明の第３の実施形態にかかるテレビジョン放送受信装置の構成を示すブロック図である。なお、本実施形態にかかるテレビジョン放送受信装置は、図６を用いて説明した本発明の第２の実施形態にかかるテレビジョン放送受信装置と比較して、映像・音声デコード部１０から制御部６３へ出力される番組表情報Ｄ２４が追加されている点のみが異なりその他の部分は共通する。
【０２０５】
すなわち、本実施形態のテレビジョン放送受信装置は、アナログ放送受信アンテナ１、アナログチューナ２、映像ノイズ除去回路３、映像Ａ／Ｄコンバータ４、音声Ａ／Ｄコンバータ５、制御部６３、デジタル放送受信アンテナ７、デジタルチューナ８、復調部９、映像・音声デコード部１０、表示装置１１、アナログ音声変化検出部１５、タイマ１６、デジタル音声変化検出部１７、映像・音声データ格納部１８から構成されている。
【０２０６】
なお、動作は実質的に第２の実施形態のものと同じであるので、ここでは動作の説明は省略する。
【０２０７】
次に、図１５は、本発明の第３の実施形態にかかる制御部６３の構成を示す図である。図１５において、制御部６３は構成としては、上記した第１および第２の実施形態にかかるテレビジョン放送受信装置の制御部６１，６２と同じであり、ＲＡＭ１２と、ＣＰＵ１３と、ＲＯＭ１４とから構成される。ＲＯＭ１４には、予めアナログ放送視聴状態からデジタル放送視聴状態への切り替え処理を行うプログラムが格納されており、ＣＰＵ１３がその実行処理を行い、演算結果等をＲＡＭ１２に格納する。アナログ放送視聴状態からデジタル放送視聴状態への切り替え処理を行うプログラムの動作は図１６を用いて説明する。
【０２０８】
図１６は、本発明の第３の実施形態にかかるテレビジョン放送受信装置における、アナログ放送視聴状態から、デジタル放送視聴状態への切り替え処理を行う処理プログラムの動作を示すステップ図である。
【０２０９】
図１６において、本装置に電源が投入されると、制御部６３のＣＰＵ１３は、予めＲＯＭに格納している受信感度基準値や放送受信エラーレート基準値、視聴放送情報などの所定値をＲＡＭ１２へ転送し、ステップｎ１７１の処理を開始する。
【０２１０】
ステップｎ１７２において、図９を示して説明した時間差検出処理を行う。
【０２１１】
ステップｎ１７３において、ＣＰＵ１３は、復調部９からのデジタル放送の受信感度情報値Ｄ８を取得する。
【０２１２】
ステップｎ１７４において、デジタル放送受信感度が視聴に耐えるレベルであるか否かの判断を行うために、ステップｎ１７３で取得した受信感度情報値Ｄ８と予め設定してある受信感度基準値とを比較し、受信感度情報値Ｄ８が受信感度基準値以上の場合はｎ１７５へ移行し、受信感度情報値Ｄ８が受信感度基準値未満の場合はｎ１７９へ移行する。受信感度基準値は、視聴に耐える最低限度の値であり、経験的な値である。
【０２１３】
ステップｎ１７５において、復調部９からデジタル放送の受信エラーレート情報値Ｄ９を取得する。
【０２１４】
ステップｎ１７６において、デジタル放送エラーレートが視聴に耐えるレベルであるか否かの判断を行うために、ステップｎ１７５で取得したデジタル放送受信エラーレート情報値Ｄ９と予め設定してあるデジタル放送受信エラーレート基準値とを比較し、デジタル放送受信エラーレート情報値Ｄ９がデジタル放送受信エラーレート基準値よりも良い状態を表す値の場合はｎ１７７へ移行し、デジタル放送受信エラーレート情報値Ｄ９がデジタル放送受信エラーレート基準値よりも悪い状態を表す値の場合はｎ１７９へ移行する。デジタル放送受信エラーレート基準値は、エラー訂正可能な最低限度の値であり、経験的な値である。
【０２１５】
ステップｎ１７７において、ＣＰＵ１３はＲＡＭ１２から現在視聴している放送がデジタル放送なのか、それともアナログ放送なのかが区別できる視聴放送情報Ｄ３０を取得する。
【０２１６】
ステップｎ１７８において、ステップｎ１７７で取得した視聴放送情報Ｄ３０をもとに、現在視聴している放送がアナログ放送であるか否かの判断を行い、アナログ放送であればステップｎ１８４へ移行し、アナログ放送でなければステップｎ１９６へ移行する。
【０２１７】
ステップｎ１８４において、映像・音声デコード部１０からデジタル番組表情報を取得する。
【０２１８】
ステップｎ１８５において、タイマから現在時刻情報を取得する。
【０２１９】
ステップｎ１８６において、番組の変化が現在時刻から基準値以内にあるか否かの判定を行う。基準値以内であればｎ１８７へ、基準値以外であればｎ１９０へ移行する。
【０２２０】
ステップｎ１８７において、ＲＡＭから遅延時間情報を取得する。
【０２２１】
ステップｎ１８８において、タイマから現在時刻情報を取得する。
【０２２２】
ステップｎ１８９において、現在時刻に遅延時間を加えた値が番組変化時刻と同じであるかの判定を行う。同じであればステップｎ１９０へ、異なればステップｎ１８８へ移行する。
【０２２３】
ステップｎ１９０において、図１０に示したアナログ放送視聴状態からデジタル放送視聴状態への切り替えを行う。
【０２２４】
ステップｎ１９１において、ＣＰＵ１３は映像・音声デコード部１０にデコード部制御信号Ｃ１を出力し、デジタル放送視聴状態への切り替えを指示する。
【０２２５】
ステップｎ１９２において、ＣＰＵ１３は、現在デジタル放送を視聴しているという情報を視聴放送情報Ｄ３０に反映し、ＲＡＭ１２へ格納する。
【０２２６】
ステップｎ１７９において、アナログ放送受信感度が視聴に耐えるレベルかを判断するためにＣＰＵ１３は、アナログ放送の受信感度情報Ｄ６を取得する。
【０２２７】
ステップｎ１８０において、アナログ放送の受信感度情報Ｄ６と予め設定してあるアナログ受信感度基準値とを比較し、アナログ放送の受信感度情報Ｄ６がアナログ放送受信感度基準値以上の場合はｎ１８１へ移行し、受信感度情報値Ｄ６が受信感度基準値未満の場合はｎ１８３へ移行する。アナログ受信感度基準値は、視聴に耐える最低限度の値であり、経験的な値である。
【０２２８】
ステップｎ１８１において、ＣＰＵ１３はＲＡＭ１２から現在視聴している放送がデジタル放送なのか、それともアナログ放送なのかが区別できる視聴放送情報Ｄ３０を取得する。
【０２２９】
ステップｎ１８２において、ステップｎ１８１で取得した視聴放送情報Ｄ３０をもとに、現在視聴している放送がデジタル放送なのか否かの判断を行い、デジタル放送であればステップｎ１９３へ移行し、デジタル放送でなければステップｎ１９６へ移行する。
【０２３０】
ステップｎ１９３において、ＣＰＵ１３は映像・音声デコード部１０にデコード部制御信号Ｃ１を出力し、アナログ放送視聴状態への切り替えを指示する。
【０２３１】
ステップｎ１９４において、ＣＰＵ１３は、現在アナログ放送を視聴しているという情報を視聴放送情報Ｄ３０に反映し、ＲＡＭ１２へ格納する。
【０２３２】
ステップｎ１９５において、図１１に示して説明したデジタル放送視聴状態からアナログ放送視聴状態への切り替えを行う。
【０２３３】
ステップｎ１８３において、デジタル放送とアナログ放送の両放送が受信できない場合であるから、ＣＰＵ１３は映像・音声デコード部１０にデコード部制御信号Ｃ１を出力し、制御部６２から出力されるＯＳＤデータＤ１１を表示装置１１で表示する。このＯＳＤデータＤ１１の具体例は、図４に示すような放送を受信できないというエラーメッセージ２１である。
【０２３４】
ステップｎ１９６において、処理を終了し、テレビジョン放送受信装置に電源が投入されている場合は、再びステップｎ１７１へ戻り処理を再開する。
【０２３５】
以上のように、本発明の第３の実施形態では、アナログ放送視聴状態からデジタル放送視聴状態への切り替えにおいて、電子番組表を使用して現在の時刻から一定時間以内に番組の変化がある場合は、直ちにアナログ放送視聴状態からデジタル放送視聴状態への切り替えを行わず一旦保留する。そして、番組の変化時に、アナログ放送視聴状態からデジタル放送視聴状態への切り替えを行うことによって、番組が変化する際に生じる映像や音声の大きな変化と同一のタイミングで映像画質の急激な変化を伴う切り替えを行うことが可能となる。このため、同一の番組内で画質が急激に変った場合に感じるような、違和感を聴視者に生じさせることなく、放送方式の切り替えを行うことができる。
【０２３６】
（実施の形態４）
次に、本発明にかかるテレビジョン放送受信装置の第４の実施形態について説明する。
【０２３７】
図１７は、本発明の第４の実施形態にかかるテレビジョン放送受信装置の構成を示すブロック図である。なお、本実施形態にかかるテレビジョン放送受信装置は、図６を用いて説明した本発明の第２の実施形態にかかるテレビジョン放送受信装置と比較して、制御部６４に位置情報Ｄ２５を出力するカーナビゲーションシステム１９が追加されている点のみが異なりその他の部分は共通する。
【０２３８】
すなわち、本実施形態のテレビジョン放送受信装置は、アナログ放送受信アンテナ１、アナログチューナ２、映像ノイズ除去回路３、映像Ａ／Ｄコンバータ４、音声Ａ／Ｄコンバータ５、制御部６４、デジタル放送受信アンテナ７、デジタルチューナ８、復調部９、映像・音声デコード部１０、表示装置１１、アナログ音声変化検出部１５、タイマ１６、デジタル音声変化検出部１７、映像・音声データ格納部１８、カーナビゲーションシステム１９から構成されている。なお、各部の動作は、第２の実施形態のものと共通するので説明を省略する。
【０２３９】
図１８は、本発明の第４の実施形態にかかる制御部６４の構成を示す図である。図１８に示すように、制御部６４は、構成自体上記他の実施形態に示したものと同じく、ＲＡＭ１２と、ＣＰＵ１３と、ＲＯＭ１４とから構成される。ＲＯＭ１４には、予めアナログ放送視聴状態からデジタル放送視聴状態への切り替え処理を行うプログラムが格納されており、ＣＰＵ１３がその実行処理を行い、演算結果等をＲＡＭ１２に格納する。アナログ放送視聴状態からデジタル放送視聴状態への切り替え処理を行うプログラムの動作について、図１９で説明する。
【０２４０】
図１９は、本発明の第４の実施形態にかかるデジタル放送視聴状態とアナログ放送視聴状態との切り替え処理を行うプログラムの動作を示すステップ図である。
【０２４１】
本実施形態にかかるテレビジョン放送受信装置に電源が投入されると、制御部６４のＣＰＵ１３は、予めＲＯＭ１４に格納されている受信感度基準値や放送受信エラーレート基準値、視聴放送情報などの所定値をＲＡＭ１２へ転送し、ステップｎ２０１の処理を開始する。
【０２４２】
ステップｎ２０２において、図９を示して説明した時間差検出処理を行う。
【０２４３】
ステップｎ２０３において、ＣＰＵ１３は、カーナビゲーションシステム１９から位置情報Ｄ２５を取得する。
【０２４４】
ステップｎ２０４において、取得した位置情報Ｄ２５に基づきデジタル放送受信エリア内か否かの判定を行う。エリア内であればステップｎ２０５へ、エリア外であればステップｎ２０９へ移行する。
【０２４５】
ステップｎ２０５において、ＣＰＵ１３は、復調部９からのデジタル放送の受信感度情報値Ｄ８を取得する。
【０２４６】
ステップｎ２０６において、デジタル放送受信感度が視聴に耐えるレベルであるか否かの判断を行うために、ステップｎ２０５で取得した受信感度情報値Ｄ８と予め設定してある受信感度基準値とを比較し、受信感度情報値Ｄ８が受信感度基準値以上の場合はｎ２０７へ移行し、受信感度情報値Ｄ８が受信感度基準値未満の場合はｎ２０９へ移行する。受信感度基準値は、視聴に耐える最低限度の値であり、経験的な値である。
【０２４７】
ステップｎ２０７において、復調部９からデジタル放送の受信エラーレート情報値Ｄ９を取得する。
【０２４８】
ステップｎ２０８において、デジタル放送エラーレートが視聴に耐えるレベルであるか否かの判断を行うために、ステップｎ２０７で取得したデジタル放送受信エラーレート情報値Ｄ９と予め設定してあるデジタル放送受信エラーレート基準値とを比較し、デジタル放送受信エラーレート情報値Ｄ９がデジタル放送受信エラーレート基準値よりも良い状態を示す値の場合はｎ２１２へ移行し、デジタル放送受信エラーレート情報値Ｄ９がデジタル放送受信エラーレート基準値よりも悪い状態を示す値の場合はｎ２０９へ移行する。デジタル放送受信エラーレート基準値は、エラー訂正可能な最低限度の値であり、経験的な値である。
【０２４９】
ステップｎ２０９において、アナログ放送受信感度が視聴に耐えるレベルか否かを判断するためにＣＰＵ１３は、アナログ放送の受信感度情報Ｄ６を取得する。
【０２５０】
ステップｎ２１０において、アナログ放送の受信感度情報Ｄ６と予め設定してあるアナログ受信感度基準値とを比較し、アナログ放送の受信感度情報Ｄ６がアナログ放送受信感度基準値以上の場合はｎ２１７へ移行し、受信感度情報値Ｄ６が受信感度基準値未満の場合はｎ２１１へ移行する。アナログ受信感度基準値は、視聴に耐える最低限度の値であり、経験的な値である。
【０２５１】
ステップｎ２１２において、ＣＰＵ１３はＲＡＭ１２から現在視聴している放送がデジタル放送なのか、それともアナログ放送なのかが区別できる視聴放送情報Ｄ３０を取得する。
【０２５２】
ステップｎ２１１において、ＣＰＵ１３は映像・音声デコード部１０にデコード部制御信号Ｃ１を出力し、制御部６２から出力されるＯＳＤデータＤ１１を表示装置１１で表示する。このＯＳＤデータＤ１１の具体例は、図４に示すような放送を受信できないというエラーメッセージ２１である。
ステップｎ２１３において、ステップｎ２１２で取得した視聴放送情報Ｄ３０をもとに、現在視聴している放送がアナログ放送であるかの判断を行い、アナログ放送であればステップｎ２１４へ移行し、アナログ放送でなければステップｎ２２２へ移行する。
【０２５３】
ステップｎ２１４において、図１０を示して説明したアナログ放送視聴状態からデジタル放送視聴状態への切り替えを行う。
【０２５４】
ステップｎ２１５において、ＣＰＵ１３は映像・音声デコード部１０にデコード部制御信号Ｃ１を出力し、デジタル放送視聴状態への切り替えを指示する。
【０２５５】
ステップｎ２１６において、ＣＰＵ１３は、現在デジタル放送を視聴しているという情報を視聴放送情報Ｄ３０に反映し、ＲＡＭ１２へ格納する。
【０２５６】
ステップｎ２１７において、ＣＰＵ１３はＲＡＭ１２から現在視聴している放送がデジタル放送なのか、それともアナログ放送なのかが区別できる視聴放送情報Ｄ３０を取得する。
【０２５７】
ステップｎ２１８において、ステップｎ２１７で取得した視聴放送情報Ｄ３０をもとに、現在視聴している放送がデジタル放送なのか否かの判断を行い、デジタル放送であればステップｎ２１９へ移行し、デジタル放送でなければステップｎ２２２へ移行する。
【０２５８】
ステップｎ２１９において、ＣＰＵ１３は映像・音声デコード部１０にデコード部制御信号Ｃ１を出力し、アナログ放送視聴状態への切り替えを指示する。
【０２５９】
ステップｎ２２０において、ＣＰＵ１３は、現在アナログ放送を視聴しているという情報を視聴放送情報Ｄ３０に反映し、ＲＡＭ１２へ格納する。
【０２６０】
ステップｎ２２１において、図１１を示して説明したデジタル放送視聴状態からアナログ放送視聴状態への切り替えを行う。
【０２６１】
ステップｎ２２２において、処理を終了する。
【０２６２】
以上のように、デジタル放送視聴状態からアナログ放送視聴状態への切り替えを、カーナビゲーションシステムを利用した位置情報を使用することによって、デジタル放送受信可能エリアから離れていく場合に生じる、受信感度が不安定な状態によるデジタル放送受信状態とアナログ放送受信切り替えの頻発を防止することが可能となる。この結果、放送信号切り替えの多発により視聴者が感じる違和感を低減することができる。
【０２６３】
なお、本実施形態において、カーナビゲーションシステムとして説明したが、要はテレビジョン放送受信装置の位置が分かればそれでいいのであり、いわゆるＧＰＳシステム等を用いた位置検出機能と、その位置情報とデジタル放送視聴可能エリア情報との対応ができるシステムであれば、特にカーナビゲーションシステムでなくても、同様の効果を奏するものであることは、言うまでもない。
【産業上の利用可能性】
【０２６４】
本発明のテレビジョン放送受信装置は、デジタル放送とアナログ放送の両方が受信可能であり、しかも、それぞれの放送方式の受信状態を検出して聴視者の視聴に耐えない画像の表示や音声の出力を防止することができる。このため、特に、移動体に搭載されることでその放送受信状況が変化しやすいモバイル型のテレビジョン放送受信装置に好適に用いることができる。
【０２６５】
また、この他にも具体的には、セットトップボックス、テレビ、録画再生機能を備えた装置、テレビジョン放送受信機能を備えたカーナビゲーションシステム、テレビジョン放送受信機能を備えたパソコン等、テレビジョン放送を受信可能な装置広くに応用することができる。
【図面の簡単な説明】
【０２６６】
【図１】本発明の実施の形態１にかかるテレビジョン放送受信装置の構成を示すブロック図。
【図２】本発明の実施の形態１にかかるテレビジョン放送受信装置の制御部の構成を示すブロック図。
【図３】本発明の実施の形態１にかかるテレビジョン放送受信装置におけるデジタル放送視聴状態とアナログ放送視聴状態との切り替え処理プログラムの動作を示すステップ図。
【図４】画像が表示できないときに表示されるＯＳＤデータを示す図。
【図５】本発明の実施の形態１にかかるテレビジョン放送受信装置におけるデジタル放送視聴状態とアナログ放送視聴状態との切り替え処理をスムーズに行うためのプログラムの動作を示すステップ図。
【図６】本発明の実施の形態２にかかるテレビジョン放送受信装置の構成を示すブロック図。
【図７】本発明の実施の形態２にかかるテレビジョン放送受信装置の制御部の構成を示すブロック図。
【図８】本発明の実施の形態２にかかるテレビジョン放送受信装置におけるデジタル放送信号に基づく出力信号とアナログ放送信号に基づく出力信号との時間差処理のプログラム動作を示すステップ図。
【図９】デジタル放送信号に基づく出力信号と、アナログ放送信号に基づく出力信号との、時間差検出処理のプログラム動作を示すステップ図。
【図１０】アナログ放送視聴状態からデジタル放送視聴状態への切り替え処理についての処理プログラム動作を示すステップ図。
【図１１】デジタル放送視聴状態からアナログ放送視聴状態への切り替え処理についての処理プログラム動作を示すステップ図。
【図１２】本発明の実施の形態２にかかるテレビジョン放送受信装置におけるアナログ放送信号に基づいた出力信号を用いた補完処理のプログラム動作を示すステップ図。
【図１３】本発明の実施の形態２にかかるテレビジョン放送受信装置において、アナログ放送視聴状態からデジタル放送視聴状態へ切り替える場合の処理プログラム動作を示すステップ図。
【図１４】本発明の実施の形態３にかかるテレビジョン放送受信装置の構成を示すブロック図。
【図１５】本発明の実施の形態３にかかるテレビジョン放送受信装置の制御部の構成を示すブロック図。
【図１６】本発明の実施の形態３にかかるテレビジョン放送受信装置におけるアナログ放送視聴状態から、デジタル放送視聴状態への切り替え処理プログラムの動作を示すステップ図。
【図１７】本発明の実施の形態４にかかるテレビジョン放送受信装置の構成を示すブロック図。
【図１８】本発明の実施の形態４にかかるテレビジョン放送受信装置の制御部の構成を示すブロック図。
【図１９】本発明の実施の形態４にかかるテレビジョン放送受信装置におけるデジタル放送視聴状態とアナログ放送視聴状態との切り替え処理を行うプログラムの動作を示すステップ図。
【符号の説明】
【０２６７】
１  アナログ放送受信アンテナ
２  アナログチューナ
３  映像ノイズ除去回路
４  映像Ａ／Ｄコンバータ
５  音声Ａ／Ｄコンバータ
７  デジタル放送受信アンテナ
８  デジタルチューナ
９  復調部
１０  映像・音声デコード部
１１  表示装置
１２  ＲＡＭ
１３  ＣＰＵ
１４  ＲＯＭ
１５  アナログ音声変化検出部
１６  タイマ
１７  デジタル音声変化検出部
１８  映像・音声データ格納部
１９  カーナビゲーションシステム
２１  エラーメッセージ
６１，６２，６３，６４  制御部
Ｄ４  映像データ
Ｄ５  音声データ
Ｄ６  アナログ放送受信感度情報
Ｄ８  デジタル放送受信感度情報
Ｄ９  デジタル放送受信エラーレート情報
Ｄ１０  デジタルストリーム
Ｄ１１  ＯＳＤデータ
Ｄ１２  映像出力信号
Ｄ１３  音声出力信号
Ｄ１６  アナログ音声情報
Ｄ１７  現在時刻情報
Ｄ１９  デジタル音声情報
Ｄ２４  番組表情報
Ｄ２５  位置情報
Ｃ１  デコード部制御信号
【図１】
2008211484.tif 000003
【図２】
2008211484.tif 000004
【図３】
2008211484.tif 000005
【図４】
2008211484.tif 000006
【図５】
2008211484.tif 000007
【図６】
2008211484.tif 000008
【図７】
2008211484.tif 000009
【図８】
2008211484.tif 000010
【図９】
2008211484.tif 000011
【図１０】
2008211484.tif 000012
【図１１】
2008211484.tif 000013
【図１２】
2008211484.tif 000014
【図１３】
2008211484.tif 000015
【図１４】
2008211484.tif 000016
【図１５】
2008211484.tif 000017
【図１６】
2008211484.tif 000018
【図１７】
2008211484.tif 000019
【図１８】
2008211484.tif 000020
【図１９】
2008211484.tif 000021